(57)【要約】【課題】コア鋼板を積層して形成される回転電機のステータコアにおいて、コア鋼板、特にその内周縁の振動を防止する。【解決手段】円環形状のコア鋼板１０は、外周部分に設けられた貫通孔１８を貫通するボルト２４とボルト２４のねじ部にねじ結合するナット２６により結束される。コア鋼板１０は、積層される前、その内周縁２２が、外周縁２０の規定する平面に対してずれて位置している。コア鋼板１０は、内周縁２２のずれが、ステータコアの軸線Ｄの方向において中央に向くように配置されて積層される。ボルト２４を締め付けることで、内周縁２２が密着する力が働き、内周縁の振動が抑制される。【選択図】図３
2016052154.tif 000002
【特許請求の範囲】
【請求項１】
円環形状のコア鋼板を積層し、コア鋼板の外周に設けられた孔を貫通するボルトにより積層されたコア鋼板同士を結束して形成される回転電機のステータコアであって、
ステータコアの軸線方向両端部に配置されるコア鋼板は、積層される前、当該コア鋼板の内周縁が、外周縁が規定する平面に対してずれて位置しており、前記内周縁のずれがステータコアの軸線方向における中央に向くよう配置されている、
回転電機のステータコア。
【発明の詳細な説明】
【技術分野】
【０００１】
本発明は、コア鋼板を積層して形成された回転電機のステータコアの構造に関する。
【背景技術】
【０００２】
電気エネルギを回転の運動エネルギに変換する電動機、回転の運動エネルギを電気エネルギに変換する発電機、さらに電動機と発電機どちらにも機能する電気機器が知られている。以下において、これらの電気機器を回転電機と記す。回転電機は、同軸に配置されて相対的に回転する二つの部材を有する。通常は、一方が固定され、他方が回転する。固定された部材（ステータ）にコイルを配置し、このコイルに電力を供給することにより回転する磁界を形成する。この磁界との相互作用により他方の部材（ロータ）が回転する。
【０００３】
ステータの一例として、ステータコアと、ステータコアのティースに導線を巻いて形成されたコイルを有するものが知られている。特許文献１には、円環板形状のコア鋼板（鉄心材（１））を積層したステータコア（積層体（５））が示されている。各コア鋼板（１）の内周には、周方向に歯が配列され、これらの歯に導線が巻かれてコイルが形成される。導線が巻かれたそれぞれの歯は磁極となる。また、外周部に貫通孔（３）が形成されている。貫通孔（３）に結束筒体（６）を挿入し、その両端を圧潰して積層されたコア鋼板（１）が結束されている。なお、（  ）内の符号は、特許文献１で用いられている符号であり、本願の実施形態で用いられる符号とは関連しない。
【先行技術文献】
【特許文献】
【０００４】
【特許文献１】特開２０１１−１９４００号公報
【発明の概要】
【発明が解決しようとする課題】
【０００５】
ステータコアを構成する各コア鋼板は、一般的にこれらの外周部で互いに結束されている。これは、内周部には、磁極およびコイルが形成されるため、ボルト等の結束のため部材を配置するスペースがないこと、またコア以外の部材を配置すると磁気特性に影響を与えてしまうためである。上記特許文献１においても、外周部が結束筒体により結束され、内周部には結束のための部材は設けられていない。よって、コア鋼板の外周部は強固に結束されるが、一方で内周部は十分に結束されていない場合がある。ステータコアに振動が加わると、コア鋼板の内周部が振動し、隣接するコア鋼板同士がぶつかったり擦れたりする場合がある。
【０００６】
本発明は、コア鋼板の内周部に発生する振動を抑制することを目的とする。
【課題を解決するための手段】
【０００７】
本発明は、円環形状のコア鋼板を積層し、コア鋼板の外周に設けられた孔を貫通するボルトにより積層されたコア鋼板同士を結束して形成される回転電機のステータコアに関する。ステータコアの軸線方向両端部に配置されるコア鋼板は、積層される前、当該コア鋼板の内周縁が、外周縁が規定する平面に対してずれて位置しており、内周縁のずれがステータコアの軸線方向における中央に向くよう配置されている。
【発明の効果】
【０００８】
内周縁のずれによって、結束されたコア鋼板には、内周縁をステータコアの軸線方向中央に向けて押すように作用する内部応力が発生する。これにより、コア鋼板の内周縁が中央側のコア鋼板に密着し、振動の発生が抑制される。  
【図面の簡単な説明】
【０００９】
【図１】コア鋼板を示す図である。
【図２】コア鋼板の断面図である。
【図３】コア鋼板を積層し、かつボルト締め付け前の状態を示す図である。
【発明を実施するための形態】
【００１０】
以下、本発明の実施形態を、図面に従って説明する。図１は、積層されて回転電機のステータコアを形成するコア鋼板１０を示す図である。コア鋼板１０は、概略円環板形状を有し、積層されたときにステータコアのヨークとなる外周側の円環部１２と、円環部１２の内側に周方向に配列された、ステータコアのティースとなる歯部１４とを有する。コア鋼板１０を積層した後、隣接する歯部１４の間の隙間を通すようにして、導線が歯部１４に巻き付けられてコイルが形成される。コア鋼板１０の外周には、外周縁から外側に延びた３個の突片１６が設けられている。突片１６には貫通孔１８が開けられている。これらの貫通孔１８には、ボルトが貫通して、積層された鋼板を結束する。突片１６および貫通孔１８の数は、３個以外であってもよい。
【００１１】
図２は、図１に示すＣ−Ｃ線における断面図である。図示されるように、コア鋼板１０は積層される前は平板でなく、円環部１２の外周縁２０で規定される平面に対して、歯部１４の先端、つまり内周縁２２が寸法ｈだけずれて位置している。内周縁２２が、外周縁２０から最も大きくずれている。また、ずれ量は、外周縁２０から内周縁２２に向けて単調に増加（一定の区間を含んでよい）するようにできる。より具体的には、コア鋼板の外周側が一つの平面内に位置し、この部分より内側の部分が円錐側面内に位置するようにできる。図１，２に示すコア鋼板１０においては、円環部１２の全体または円環部１２の外周側の部分が一つの平面内に位置し、この部分より内側の部分が円錐側面内に位置している。この円錐の中心軸線は、コア鋼板１０の円環形状の中心軸線、したがってステータコアの中心軸線Ｄと一致している。突片１６は、円環部１２の一平面内に位置する部分と同じ平面内に位置するようにできる。
【００１２】
図３は、コア鋼板１０を積層方向にそろえて重ねた状態を示す図である。各コア鋼板１０の貫通孔１８はそろえられており、ねじ付きのボルト２４が貫通している。ボルト２４のねじ部にはナット２６がねじ結合されている。ボルト２４は、六角ボルトとして図示されているが、六角穴付きボルトなど他の種類のボルトであってもよい。ナット２６は、１個の六角ナットとして図示されているが、袋ナットなどの他の種類のナットであってもよい。また、緩み止めの機能を有するロックナットを用いてもよい。
【００１３】
図３は、ボルト２４とナット２６を締め付ける前の状態を示している。図３において上側のコア鋼板１０Ａは内周縁２２のずれが下に向いて配置されており、下側のコア鋼板１０Ｂは逆に内周縁２２のずれが上に向くよう配置されている。言い換えれば、ステータコアの軸線Ｄの方向における両端部に位置するコア鋼板１０Ａ，１０Ｂは、内周縁の外周縁に対するずれがステータコアの軸線Ｄの方向における中央に向くように配置されている。なお、コア鋼板１０Ａ，１０Ｂは、個々のコア鋼板の形状に差異はなく、互いに裏返しになるように配置されたものである。締め付け前の状態では、コア鋼板１０Ａで構成される上側の群と、コア鋼板１０Ｂで構成される下側の群の互いに隣接するコア鋼板の内周縁２２が接している。また、外周縁２０側では、上側の群と下側の群の間に間隔がある。
【００１４】
図３の状態から、ボルト２４とナット２６を締め付けると、上下の群の間隔は詰まり、各コア鋼板１０Ａ，１０Ｂは、内周縁２２のずれが小さくなるように変形される。最終的には、隣接するコア鋼板１０Ａ，１０Ｂの間の隙間がなくなるまでボルト２４とナット２６が締め付けられる。この変形に抗する力として、各コア鋼板１０Ａ，１０Ｂには、内周縁２２を軸線方向の中央に向かわせる内部応力が発生する。これにより、コア鋼板１０Ａ，１０Ｂの内周縁２２同士が密着した状態が維持され、各コア鋼板１０Ａ，１０Ｂの内周側の部分、特に歯部１４のばたつきを抑制することができる。
【００１５】
上述の実施の形態においては、ステータコアを構成する全てのコア鋼板１０が、内周縁が外周縁の規定する平面に対してずれたものであったが、内周縁のずれがないコア鋼板（平坦なコア鋼板）を含めてステータコアを形成してもよい。具体的には、ステータコアの軸線方向の中央部に平坦なコア鋼板を配置し、その両側を所定枚数の内周縁のずれがあるコア鋼板で挟むようにする。内周縁のずれの方向は、図３と同様、ステータコアの軸線方向において中央に向かう方向である。ステータコアの軸線方向両端部に配置されたコア鋼板の内周縁が、平坦なコア鋼板の内周縁に押し付けられて、互いに密着してばたつきが抑制される。また、平坦なコア鋼板の内周縁も両側から挟まれることにより、ばたつきが抑制される。
【符号の説明】
【００１６】
１０  コア鋼板、１２  円環部、１４  歯部、１６  突片、１８  貫通孔、２０  外周縁、２２  内周縁、２４  ボルト、２６  ナット。
【図１】
2016052154.tif 000003
【図２】
2016052154.tif 000004
【図３】
2016052154.tif 000005